(57)【要約】ディスプレイシステムは、情報を与えるよう構成されるユニット、及び、少なくとも１つの方向において該ユニットから離れて延在するプレートを有する。プレートは、入力光を受けるよう、また情報に関連付けられ得る環境光を与えるよう構成される。電圧レベルに応じて、プレートは、透過モードにおいて実質的に透明であり、散乱モードにおいて実質的に光散乱性であり、環境光を与える。
2009531733.tif 000002
【特許請求の範囲】
【請求項１】
ディスプレイシステムであって：
情報を与えるよう構成されるユニットと；
少なくとも１つの方向において該ユニットから離れて延在し、入力光を受けるよう、また環境光を与えるよう構成される、プレートと；
を有し、
該プレートは、前記環境光を与えるよう散乱モードにおいて実質的に光散乱性であり、透過モードにおいて実質的に透明である、
ディスプレイシステム。
【請求項２】
前記プレートは、電圧に応じて前記透過モードと前記散乱モードとの間で切替え可能である、
請求項１記載のディスプレイシステム。
【請求項３】
前記プレートは、第１の電圧が印加される際に前記透過モードにあり、第２の電圧が印加される際に前記散乱モードにある、
請求項１記載のディスプレイシステム。
【請求項４】
前記第１の電圧は、前記第２の電圧より高い、
請求項３記載のディスプレイシステム。
【請求項５】
前記第２の電圧は、実質的にゼロボルトである、
請求項３記載のディスプレイシステム。
【請求項６】
前記プレートは、電圧の印加に応じて前記透過モードである、
請求項１記載のディスプレイシステム。
【請求項７】
前記環境光を前記ユニットによって与えられる前記情報と関連付けるよう構成されるコントローラを更に有する、
請求項１記載のディスプレイシステム。
【請求項８】
前記入力光は、光源と前記ユニットのディスプレイ範囲上に表示される前記情報とのうち少なくとも一方から与えられる、
請求項１記載のディスプレイシステム。
【請求項９】
前記プレートは、前記ディスプレイシステムのフレームを覆う、
請求項１記載のディスプレイシステム。
【請求項１０】
コントローラと、少なくとも１つの光源とを更に有し、
該コントローラは、前記情報が有る際及び無い際の少なくとも一方において前記環境光を与えるよう、前記少なくとも１つの光源及び前記プレートを制御するよう構成される、
請求項１記載のディスプレイシステム。
【請求項１１】
前記情報は、音声情報とビデオ情報とのうち少なくとも一方である、
請求項１記載のディスプレイシステム。
【請求項１２】
前記プレートの後方に位置決めされるディフューザを更に有する、
請求項１記載のディスプレイシステム。
【請求項１３】
ディフューザシステムであって：
入力光を与えるよう構成される少なくとも１つの光源と；
前記入力光を受けるよう、また環境光を与えるよう構成されるプレートと、
を有し、
前記プレートは、前記環境光を与えるよう散乱モードにおいて実質的に光散乱性であり、透過モードにおいて実質的に透明である、
ディフューザシステム。
【請求項１４】
前記環境光を与えるよう前記少なくとも１つの光源及び前記プレートを制御するよう構成される、コントローラを更に有する、
請求項１３記載のディフューザシステム。
【請求項１５】
前記プレートは、電圧に応じて前記透過モードと前記散乱モードとの間で切替え可能である、
請求項１３記載のディフューザシステム。
【請求項１６】
前記プレートは、第１の電圧が印加される際に前記透過モードであり、第２の電圧が印加される際に前記散乱モードである、
請求項１３記載のディフューザシステム。
【請求項１７】
ユニットの周囲に環境光を配する方法であって：
前記ユニットに対して結合されるプレートに対して入力光を与える動作と；
前記プレートが実質的に透明である透過モードから前記環境光を与えるよう実質的に光散乱性である散乱モードに、前記プレートを切り替える動作と、
を有する方法。
【請求項１８】
前記切替え動作は、実質的にゼロボルトを与えるよう前記プレートを接地することを有する、
請求項１７記載の方法。
【請求項１９】
前記透過モードに切り替えるよう前記プレートに対して電圧を印加することを更に有する、
請求項１７記載の方法。
【請求項２０】
前記ユニットからコンテンツを出力する動作と；
前記環境光として前記プレートからでるよう、入力光を前記プレートに対して与えるために少なくとも１つの光源を制御する動作と、
を更に有し、
前記環境光は、コンテンツに関連付けられる、
請求項１７記載の方法。
【発明の詳細な説明】
【技術分野】
【０００１】
本発明は、環境照明効果を作るシステム及び方法に係る。本発明は、より特には、環境光の反射等である出力に対して切替え可能なキャンバスを有するユニットに係る。
【背景技術】
【０００２】
Ｐｈｉｌｉｐｓ  Ｅｌｅｃｔｒｏｎｉｃｓ社及び他の会社は、典型的な家庭用又は商業用の用途に対するビデオコンテンツを高めるよう環境又は周辺照明を変える手段を開示している。ビデオディスプレイ又はテレビジョン受像機に対して加えられる環境照明は、観察者の疲労を低減し、また経験のリアリズム及び深さを向上させるよう示されている。近年、Ｐｈｉｌｉｐｓ  Ｅｌｅｃｔｒｏｎｉｃｓ社は、フラットパネルテレビジョン受像機（フラットＴＶ）の周囲のフレームが支持する後方壁上あるいはフラットＴＶの近くに環境照明を投射する環境光源を有する、環境照明を有する一連のフラットＴＶを有する。壁の色が白色（又は、光沢のある白色ではない明るいニュートラルシェード（ｌｉｇｈｔ  ｎｅｕｔｒａｌ  ｓｈａｄｅ）であり、壁までの距離は比較的短く、また環境光源と壁との間に障害物がない限り、後方壁上に環境光を投射することは、大変効果がある。更には、後方壁は、フラットＴＶスクリーンの左側及び右側（並びに上部及び下部）に対して同一の環境光インプレッションを有するよう、フラットＴＶに対して平行であるべきである。フラットＴＶが後方壁から離れすぎている場合、後方壁上の光点の可視性は、大幅に低減する。更には、フラットＴＶが後方壁に対して十分に平行ではない場合、光点は、壁から更に離れている側においてより大きくなり、且つ光度がより低くなる。
【０００３】
故に、テレビジョン受像機の環境光源からの適切な効果は、適切な壁の色、後方壁とＴＶとの間における距離、及び障害物の無い環境等である、しっかりとした環境を必要とする。従って、実質的に環境から独立して所望される環境光効果を与える一方で、目障りではない環境光システムが必要とされる。
【発明の開示】
【発明が解決しようとする課題】
【０００４】
本発明は、先行技術における不利点を克服すること及び／又は向上させること、を目的とする。
【課題を解決するための手段】
【０００５】
この目的及び他の目的は、情報を与えるよう構成されるユニット、及び少なくとも１つの方向において該ユニットから離れて延在するキャンバス又はプレートを有する、ディスプレイシステムを有する装置及び方法によって達成される。該プレートは、入力光を受けるよう、また情報に関連付けられ得る環境光を例えば反射して与えるよう、構成される。電圧レベルに応じて、プレートは、透過モードにおいて実質的に透明であり、散乱モードにおいて実質的に光散乱性であり、環境光を与える。
【０００６】
例えばＴＶのスイッチがオフにされている際、キャンバスは実質的に透明且つ不可視であるため、ＴＶセットは、さほど目立たず、大きく感じられない。更には、切替え可能なキャンバスを有するＴＶ等であるかかる装置は、（例えばスイッチをオンにされる際に）適切な環境光効果を与え、それには後方壁に対するＴＶの位置付け又は環境、及び／又は、色及び反射率等である壁の特性、並びに、ＴＶから後方壁までの距離及び後方壁に対するＴＶの向きとは無関係である。
【発明を実施するための最良の形態】
【０００７】
本発明のシステム、装置、及び方法の適用に関する更なる範囲は、以下に与えられる詳細な説明から明らかとなる。ディスプレイユニット及び方法の実施例を示す詳細な説明及び具体例は、例証のみを目的とし、本発明の範囲を制限するよう意図されない。
【０００８】
本発明のシステム、装置、及び方法のこれらの及び他の特徴、太陽、及び利点は、以下の説明、添付の請求項、及び添付の図面を有してよりよく理解される。
【０００９】
特定の実施例に関する以下の説明は、単なる例であり、本発明、本明細書、又は用途を制限するよういかようにも意図されない。本発明のシステム、装置、及び方法の実施例に関する以下の詳細な説明において、その一部を形成する添付の図面が参照され、該図中、説明される装置及び方法が実行され得る具体的な実施例が示される。かかる実施例は、当業者が本願のシステム及び方法を実行することができるよう十分詳細に説明され、他の実施例が利用され得ること、並びに、構造上及び理論上の変更が本発明の趣旨及び範囲から逸脱することなく行なわれ得ること、が理解されるべきである。
【００１０】
したがって以下の詳細な説明は、制限的な意味で取られるべきではなく、本発明の範囲は、添付の請求項によってのみ定義付けられる。図中の参照符号の最初の数字は、通常は図面番号に対応するが、例外として複数の図面に示される同一の構成要素は、同一の参照符号によって示される。更には、明確性を目的として、周知の装置、回路、及び方法に関する詳細な説明は、本発明の説明を不明瞭にしないよう省略される。
【００１１】
本願に記載される多種の実施例は、アクティブ光（活性光）又はパッシブ光（受動光）を使用してフラットパネルテレビジョン受像機（又は他のコンテンツ供給装置）の周囲における環境空間に対して環境光を発する。しかしながら、いかなる種類のビデオディスプレイユニット、あるいは他の種類のテレビジョン受像機、ディスプレイ装置、モニタ等である他のユニットも使用され得る。音声及びマルチメディアコンテンツや装置等を含む他の種類及び情報の源はまた、ビデオコンテンツ及びビデオディスプレイユニットの代わりに使用され得る。したがって、本発明は、用途をフラットパネルテレビジョン受像機に制限することなく、かかる環境において説明される。図示される要素の特定の配置及び構造は、単なる例であり、本発明の範囲をいかようにも制限することを意図されない。他の実施例及び修正は、本願の観点から当業者には明らかである。
【００１２】
これより図1を参照すると、フラットパネルテレビジョン受像機又はディスプレイシステム１００の正面図が示される。図面は、実寸大ではなく、寸法における相対的変更は想到される、ことが理解されるべきである。ディスプレイシステム１００は、ビデオ情報を表示するよう構成されるディスプレイ範囲１２０を有するディスプレイユニットと１１０を有する。切替え可能なプレート又はキャンバス１３０は、ディスプレイユニット１１０を取り囲み、ＯＮにされるかあるいは散乱モードにある際、表示されるコンテンツと同調する環境光を散乱する。ＯＦＦの際は、切替え可能なキャンバス１３０は、透明であり、故に実質的に不可視である。
【００１３】
図示される通り、ディスプレイユニット１１０は、ＬＣＤ（液晶ディスプレイ）又はＰＤＰ（プラズマディスプレイ）フラットテレビジョン受像機である。しかしながら、ディスプレイユニット又はモニタ１１０は、いかなる種類でもあり得、いかなる技術又はプラットフォームも使用され得、例えばＣＲＴ（陰極線管）、ＦＥＤ（電界放出ディスプレイ）、投影型ディスプレイ、薄膜印刷光学活性ポリマディスプレイ、あるいは、携帯電話、個人用携帯端末（ＰＤＡ）、音楽プレイヤ等である携帯型装置のディスプレイを含む、他の技術又はディスプレイを使用するディスプレイである。複数の実施例に対しては、建物の窓のようなビデオ又は視覚情報を送出する伝達媒体にさえも、適用することが可能である。説明を明確にするよう、本願においては、ビデオディスプレイが例証を目的として使用される。更には、ディスプレイユニットの代わりに、ディスプレイを有するあるいはディスプレイを有さない他の電子ユニットは、音楽プレイヤ等であり、切替え可能なキャンバス１３０によって取り囲まれ得、環境光が再生されている音楽と同調する環境光効果を与える。
【００１４】
任意では、フレーム又はベゼル（縁）はまた、ディスプレイユニット又はＴＶを取り囲むよう与えられ得、例えばＴＶの部品を支える。例証として、フレームは、ＬＣＤ又はＴＶユニット１１０を取り囲み、それらの一部である金属リムであり得る。ＬＣＤパネル１１０に対して典型的には、ＬＣＤディスプレイの別個の部品を合わせて維持するこの金属フレームの後方には、ピクセル光はない。原理上、全てのディスプレイは、ビデオコンテンツ又はピクセル光が生成されない、アクティブなビデオディスプレイ範囲１２０の周囲に範囲を有する。例えば、ＬＣＤディスプレイに対して典型的に存在する金属フレームの代わりに、ＰＤＰは、典型的には、ピクセル光が無い接続フォイルを有するＰＤＰガラスの周囲における密封範囲を有する。しかしながら、ピクセル光がディスプレイの前方エッジ部において使用可能である場合、フレームは、切替え可能なキャンバス１３０に対するピクセル光の光通信（光伝送、ｌｉｇｈｔ  ｃｏｍｍｕｎｉｃａｔｉｏｎ）を可能にする、一般的に入手可能な複数の透明又は半透明の材料を有して作られ得る。かかる透明又は半透明な材料は、Ｌｅｘａｎ（登録商標）、Ｌｕｃｉｔｅ（登録商標）、並びに、ＰＥＤ及びＡＢＳ樹脂等である多くの他のポリマ樹脂等である透明プラスチックを有し、既知である製造技術を使用して形成される。ＴＶ又はモニタ１１０を支持することができるフレームに対する必須の機械的及び／又は光学的特性を有するいずれの材料も、使用され得る。所望に応じて、フレームはまた、例えば切替え可能なキャンバス１３０に対する（例えば入力光１４０としての）ピクセル光の通過を可能にする、光通信を可能にすることができる種類を有し得る。
【００１５】
ディスプレイユニット１１０は、環境光１６０を環境空間へと配する（ｂｒｏａｄｃａｓｔ）よう切替え可能なキャンバス１３０によって（例えば周辺を）包囲又は取り囲まれる。切替え可能なキャンバス１３０は、ＯＦＦにおいて透明であるか透過状態であり得、故に実質的に不可視であり得る。切替え可能なキャンバス１３０はまた、所望によって、ＯＦＦ状態において半透明、不透明等であり得る。しかしながら、明らかであるように、ＯＦＦ状態において透明である切替え可能なキャンバス１３０を使用することは、より望ましい。しかしながら、プレート１３０は、光混合をもたらすよう多種のディフューザ効果を実現することができ、また、所望される視覚効果に依存して、例えば金属又は他の内部ブロッカーを使用することによって、つや消し又は光沢表面等である半透明又は他の現象（ｔｒａｎｓｌｕｃｅｎｃｅ  ｏｒ  ｏｔｈｅｒ  ｐｈｅｎｏｍｅｎａ）、又は波形ガラス又はプラスチック、又は開口構造を実現することができる。
【００１６】
切替え可能なキャンバス１３０は、制御された光源１５０によって与えられる入力光１４０を受け、環境光１６０として入力光１４０を散乱させるよう、構成される。図中、矢印及び円の中の点で示され、環境光１６０がＴＶ１１０の側方、及び／又はＴＶ１１０の観察者に向かって方向付けられることが示される。光源１５０に対して代替的に、あるいはそれに加えて、入力光１４０はまた、ディスプレイ範囲１２０のエッジにおいて表示されるコンテンツ又はピクセルから直接与えられ得、環境光１６０として出力するよう切替え可能なキャンバス１３０に対して結合され得る。
【００１７】
環境光１６０は、表示範囲１２０上に表示されるコンテンツの光属性（色、色相、彩度、強度等）を抽出するようコンテンツ分析を実行するよう構成され得るプロセッサ１７０の制御を受けて、ＴＶ１１０の周囲近くに表示されるビデオ等であるＴＶ１１０上に表示される映像のコンテンツに追随するよう、例えば色、色相、彩度、明度、及び／又は強度を変え得る。当然のことながら、プロセッサ１７０は、表示範囲１２０のエッジ部において表示されるコンテンツの光属性を分析し、また、分析されたコンテンツに合致し且つそれと同調される光属性を有する入力光１４０を与えるために１つ又はそれより多くの光源１５０を制御するよう、構成され得る。
【００１８】
更には、プロセッサ１７０はまた、所定の光スクリプトを実行するよう構成され得る。該所定の光スクリプトは、表示範囲１２０上に表示される情報又はコンテンツを与えられるか、あるいはメモリ等である他の源から与えられるか、あるいはインターネット等からダウンロードされる。所定の光スクリプトは、表示されるコンテンツと関連付けられ且つ同調され得るか、あるいは、アクションスクリプト、ロマンチックなスクリプト（ｒｏｍａｎｔｉｃ  ｓｃｒｉｐｔ）、リラックスするスクリプト等である他の所定のスクリプトであり得る。
【００１９】
故に、環境照明コンテンツは、システムの内部又は外部で作られる光スクリプトの形状において受け取られ得る。これは、例えば、米国仮特許出願明細書第６０／７２２，９０３及び６０／８２６，１１７の利益を主張する、２００６年９月２７日に出願された国際特許出願ＩＢ２００６／０５３５２４（代理人整理番号Ｎｏ．００３６６３）において開示され、これらは全て、当譲受人に譲り受けられ、その内容は全体的に、本願に参照として組み込まれる。
【００２０】
一実施例では、光スクリプトは、例えば特定のビデオコンテンツに対して関連付けられる光スクリプトを与える光スクリプトオーサリングサービスによって、システムの外部において作られる。光スクリプトは、インターネットへの有線又は無線の接続当であるアクセス可能である外部の源から、取り出され得る。この実施例では、ビデオコンテンツを有するビデオコンテンツ又はメモリ媒体は、コンテンツに対する識別子（ｉｄｅｎｔｉｆｅｉｒ）を有し得る。識別子は、ビデオコンテンツに対応する光スクリプトを取り出すよう利用され得る。
【００２１】
他の実施例では、ビデオコンテンツは、ビデオコンテンツに関連付けられる環境照明データを作るよう処理され得る。ビデオコンテンツ又はその一部を分析する形状における処理は、ビデオコンテンツをリンダリングする直前に行なわれ得るか、あるいは、格納されたかあるいはアクセス可能であるビデオコンテンツにおいて実行され得る。
【００２２】
当譲受人に譲り受けられ、本願において全体的に参照として組み込まれる、２００３年６月２３日出願、２００４年１月１５日公開のＰＣＴ特許出願ＷＯ  ２００４／００６５７０、「Ｍｅｔｈｏｄ  ｏｆ  ａｎｄ  Ｓｙｓｔｅｍ  ｆｏｒ  Ｃｏｎｔｒｏｌｌｉｎｇ  ａｎ  Ａｍｂｉｅｎｔ  Ｌｉｇｈｔ  ａｎｄ  Ｌｉｇｈｔｉｎｇ  Ｕｎｉｔ」は、色相、彩度、明度、色等であるレンダリングされたコンテンツの色特徴、シーン変化の速度、認識される文字、検出される雰囲気（ｄｅｔｅｃｔｅｄ  ｍｏｏｄ）に基づいて、環境照明効果を制御するシステム及び装置が開示される。作動において、該システムは、受け取られたコンテンツを分析し、ビデオコンテンツに関連付けられる環境照明データを作るよう、１つ又はそれより多くのフレームのへり（ボーダー）の近くに位置付けられるビデオコンテンツの一部を利用し得るか、あるいはビデオコンテンツの１つ又はそれより多くのフレームに対して平均色等であるコンテンツの分配（ｄｉｓｔｒｉｂｕｔｉｏｎ  ｏｆ  ｔｈｅ  ｃｏｎｔｅｎｔ）を利用し得る。時間的平均化（Ｔｅｍｐｏｒａｌ  ａｖｅｒａｇｉｎｇ）は、分析されたビデオコンテンツにおける急速な変化によって引き起こされる環境照明データにおける時間的移行を潤滑にするよう利用され得る。更には、ビデオコンテンツのピクセルは、コヒーレント色（ｃｏｈｅｒｅｎｔ  ｃｏｌｏｒ）を与えるピクセルを識別するよう分析され得る一方、インコヒーレント色ピクセルは、破棄される。コヒーレント色ピクセルは続いて、ビデオに基づく環境照明データを作るよう利用される。これは、国際特許出願番号ＩＢ２００６／０５３５２４（代理人整理番号Ｎｏ．００３６６３）において開示される。
【００２３】
例えばＴＶ１１０と一体にされてそれを完全に包囲又は取り囲むか、あるいはディスプレイユニット１１０の後方に配置される、ＬＣＤパネル又はＴＶ１１０等であるディスプレイユニットの周囲全てに位置決めされる単一の切替え可能なキャンバス１３０の代わりに、切替え可能なキャンバス１３０は、ＴＶ又はディスプレイユニット１１０を少なくとも１つの方向（例えばＴＶ１１０の上方及び／又は下方、並びに／あるいは、右側及び／又は左側）において部分的に包囲又は取り囲み得る。あるいは、切替え可能なキャンバス１３０は、別個の単独の光散乱体の一部であり得、ＴＶ１１０、あるいは他のユニット、又はユニットを取り囲むフレームに対して機械的及び光学的に結合されるか、あるいはビデオ、音声、マルチメディア等を有する他の情報の源又は装置に対して結合され得る。
【００２４】
単独の切替え可能なキャンバス１３０は、環境光１６０として切替え可能なキャンバス１３０から散乱されるべき入力光１４０を与えるよう、制御可能な光源を有し得る。係る単独の切替え可能なキャンバス１３０は、例えば既存のＴＶ、あるいは他のユニット、又はユニットのフレーム上において、レトロフィットされ得、容易に取り付けられるよう既存のＴＶの形状に対して輪郭を作られる部分を有し得、少なくとも１つの透明なプレートは、所望の方向において環境光１６０を与えるよう少なくとも１つの方向においてＴＶから離れて延在する。
【００２５】
一体にされたシステムと同様に、単独の切替え可能なキャンバス１３０は、ＴＶ１１０に対して実質的に近接して取り付けられ得るか、ＴＶ１１０の後方に配置され得る。当然のことながら、切替え可能なキャンバス１３０がＴＶ１１０と一体にされる環境と同様に、単独の切替え可能なキャンバス１３０はまた、ＴＶ１１０を部分的又は完全に包囲又は取り囲み得る。
【００２６】
例証として、切替え可能なキャンバス１３０は、例えば、矩形、四角形、あるいは円形、楕円形、八角形、五角形、自由形等である他の所望の形状を形成するよう、四方向の間の角部からも含んで、照明／環境光１６０を与えるよう、全四方向においてＴＶ１１０の中心から延在する。あるいは、切替え可能なキャンバス１３０は例えば、右及び左方向、又は上及び下方向において、ＴＶ１１０から離れるよう延在する。切替え可能なキャンバス１３０は、入力光１４０を受け取り、環境光１６０を与えるよう、構成される。
【００２７】
例証として、切替え可能なキャンバス１３０は、ポリマ分散液晶（ＰＤＬＣ）である。周知である通り、ＰＤＬＣは、電気的に制御された光散乱の原理に基づいて作動する。ＰＤＬＣは、２片の導電ガラスの間に挟まれるポリマ混合によって取り囲まれる液晶液滴（ｌｉｑｕｉｄ  ｃｒｙｓｔａｌ  ｄｒｏｐｌｅｔｓ）を有する。電気が与えられない際、例えばＰＤＬＳが接地され、即ち散乱状態であり、液晶液滴は、ランダムに方向付けられ、この場合は光を環境光１６０として散乱される半透明状態を作る。電圧が印加される際、即ち透過状態である際、液晶は、電場に対して平行に整列し、光か透過するよう透明になる。例証として、印加電圧は、約５−２００ボルトの範囲である。ＰＤＬＣパネルはまた、米国テキサス州在のＰｏｌｙｔｒｏｎｉｘ，Ｉｎｃ社からのＰｏｌｙｖｉｓｉｏｎ（登録商標）パネル等であるウィンドウに対して使用され得る。該パネルは、電圧がパネルに印加される際に、くもった白い半透明のバリアから光学的にクリア又は透明な状態まで変わる。パネルは、２つのガラスの層の間においてポリマ分散液晶フィルムをラミネート加工することによって作られ得る。
【００２８】
所望により、裸眼には不可視である光ガイド及び／又は中断（ｉｎｔｅｒｒｕｐｔｉｏｎ）／気泡（ｂｕｂｂｌｅｓ）は与えられ得、よりよく反射するよう入力光１４０を案内し、また環境光１６０を観察者等であるＴＶ１１０の前方に向かって散乱するようにする。当然のことながら、環境光はまた、バックスピル（ｂａｃｋ  ｓｐｉｌｌ）として出るよう、また例えば後方壁を照射するよう、ＬＣＤパネル１１０の後方に向かって案内されることができる。切替え可能なディフューザ１８０はまた、環境光１６０として出るよう光をよりよく拡散及び散乱するよう、切替え可能なキャンバス１３０の後方に与えられ得る。用途又は適切な電圧の欠如に応じて、切替え可能なディフューザ１８０はまた、透過状態と例えば半透明及び／又は反射性になる散乱又は拡散状態との間を切り替え得る。
【００２９】
例証として、ディフューザ１８０は、電圧が印加されていない際に１つの状態において透明であり、電圧がディフューザ１８０に対して印加される際に拡散状態に切り替えられる。ディフューザ１８０はまた、環境光を更に拡散するよう構成されるＰＤＬＣであり得る。更には、あるいはディフューザ１８０の代わりに、切替え可能な反射性コーティングがまたＰＤＬＣ層１３０の後方に与えられ得、観察者に向かう環境光１６０の反射率を高める。切替え可能な反射性コーティングはまた、印加される電圧の有無に基づいて、透明状態と反射状態との間を切り替えることができる。適切である切替え可能なディフューザは、例えば反射性切替え可能なソリューション（ｒｅｆｌｅｃｔｉｖｅ  ｓｗｉｔｃｈａｂｌｅ  ｓｏｌｕｔｉｏｎ）に関連付けられるコレステリックテクスチャ液晶（Ｃｈｏｌｅｓｔｅｒｉｃ  Ｔｅｘｔｕｒｅ  Ｌｉｑｕｉｄ  Ｃｙｒｓｔａｌ、ＣＴＬＣ）を使って、使用され得る。あるいは、又は更には、ディフューザは、透明状態と拡散状態との間で切替え可能ではあり得ず、プリントによって作られる実質的には不可視である中断、及び／又は、所望される三次元形状を有して、透明なガラス又はプラスチックプレート等においてレーザを有して作られる気泡を有する、透明なプレートであり得る。中断及び／又は気泡は、観察者に向かう反射を含む所望される方向において環境光を方向付けるよう構成され得る。これは、本願の譲受人が譲り受ける、２００６年８月３１日出願、米国仮特許出願第６０／７１３，１８４（整理番号ＵＳ００２３０８）、「Ａｍｂｉｅｎｔ  Ｌｉｇｈｔｉｎｇ  Ｔｈｒｏｕｇｈ  Ｔｒａｎｓｐａｒｅｎｔ  Ｍａｔｅｒｉａｌｓ」において記載されており、その内容は全体的に、本願に参照として組み込まれる。
【００３０】
ディスプレイシステム１００は更に、制御可能な光源１５０を有し、該光源は、前方、後方、及び／又は側方の環境光１６０として出るよう切替え可能なキャンバス１３０に対して入力光１４０を与えるよう、構成される。光源１５０は、ＴＶ又はＬＣＤパネル１１０の何れかにおいて位置決めされ得るか、あるいは例えば切替え可能なキャンバス１３０の一部である。
【００３１】
光源１００は、色、色相、彩度、及び／又は強度の変更を与える照射システムであり得る。例えば、光源１５０は、色混合、色相、彩度、及び／又は強度等である所望される特徴を与えるよう別個に制御可能である、赤色、緑色、及び青色の発光ダイオード（ＬＥＤ）を有し得る。あるいは、又は更には、光源１５０は、白熱灯、ガス放電、蛍光灯、リン光蛍光灯、レーザ、フォトルミネセンス、エレクトロルミネセンス、陰極線ルミネセンス、直流ルミネセンス、結晶ルミネセンス、キネルミネセンス、熱ルミネセンス、摩擦ルミネセンス、音ルミネセンス、及び／又は放射線ルミネセンス、等である他の種類の光源を、単独又は組み合わせて有し得る。これは、本願の譲受人に譲り受けられた、２００５年７月７日発行、国際出願ＷＯ  ２００５／０６２６０８  Ａ２（整理番号ＮＬ０３１５０４）、「Ｓｕｐｐｌｅｍｅｎｔａｒｙ  Ｖｉｓｕａｌ  Ｄｉｓｐｌａｙ  Ｓｙｔｅｍ」において記載され、その内容は全体的に本願において参照として組み込まれる。
【００３２】
光源１５０（及び入力光１４０）は、例えばかかる制御操作に対して必要とされるモジュレータ又は他の回路を使用してＲＦ信号から派生するビデオ信号又はＬＣＤパネル１１０によって受けられるＲＦ信号を介して、ＬＣＤパネル１１０上パネル１１０等であるビデオディスプレイユニット上に表示されるコンテンツ情報に応じて、図１中の点線で示されるプロセッサ１７０によって制御され得る。これは、上述された国際出願ＷＯ  ２００５／０６２６０８  Ａ２（整理番号ＮＬ０３１５０４）；  本願の譲受人に譲り受けられた、２００５年６月２７日出願、２００６年１月１２日発行、国際出願ＷＯ  ２００６／００３６０３Ａ２（整理番号ＵＳ０４０２８２）、「Ｐａｓｓｉｖｅ  Ｄｉｆｆｕｓｅｒ  Ｆｒａｍｅ  Ｓｙｓｔｅｍ  ｆｏｒ  Ａｍｂｉｅｎｔ  Ｌｉｇｈｔｉｎｇ  Ｕｓｉｎｇ  ａ  Ｖｉｄｅｏ  Ｄｉｓｐｌａｙ  Ｕｎｉｔ  ａｓ  ａ  Ｌｉｇｈｔ  Ｓｏｕｒｃｅ」；  及び、本願の譲受人に譲り受けられた、２００５年６月２７日出願、２００６年１月１２日発行、国際出願ＷＯ２００６／００３６０４（整理番号ＵＳ０４０２８３）、「Ａｃｔｉｖｅ  Ｆｒａｍｅ  Ｓｙｓｔｅｍ  ｆｏｒ  Ａｍｂｉｅｎｔ  Ｌｉｇｈｔｉｎｇ  Ｕｓｉｎｇ  ａ  Ｖｉｄｅｏ  Ｄｉｓｐｌａｙ  ａｓ  ａ  Ｓｉｇｎａｌ  Ｓｏｕｒｃｅ」、において記載される。これらの文献全ての内容は、本願において全体的に参照として組み込まれる。従って、環境光１６０は、プロセッサ１７０の制御下において、ＬＣＤパネル１１０上に表示されるコンテンツに関連付けられるか、並びに／あるいは、該コンテンツから導き出される。
【００３３】
上述された国際出願ＷＯ２００５／０６２６０８  Ａ２（整理番号ＮＬ０３１５０４）において記載される通り、プロセッサ１７０は、ＴＶ１１０において、特にはディスプレイ領域のエッジ部において表示されるコンテンツの色及び強度に追随する環境光１６０を与えるよう、光源１５０を制御するよう構成され得る。例えば、（ディスプレイ領域の下方における）青い空と黄色がかった砂を有する海辺の景色に応じて、切替え可能なキャンバス１３０の上方部分からの環境光は青色がかり、切替え可能なキャンバス１３０の下方部分からの環境光は黄色がかる。環境光の色及び強度は、青い空を示すＴＶ１１０の表示範囲の上部から離れるとより青色が少なくなり且つ強度が下がる等して空間的に徐々に変化され得、また、近くの壁、又は部屋の家具／備品／照明の色に徐々により近くなり得、故に混合効果を与える。よって例えば、ＴＶ１１０の中心から最も離れた切替え可能なキャンバス１３０の最も外側のエッジ部からの環境光は、例えばセンサによって検出され且つ観察者にとっては背景として見える、室内照明及びＴＶ１１０のすぐ後方の壁の色を追随又は追跡（ｆｏｌｌｏｗ  ｏｒ  ｔｒａｃｋ）し得る。
【００３４】
あるいは、プロセッサ１７０は、光源１５０を制御するよう構成され得、取り囲む壁の色、室内照明等の色及び強度等であるセンサを介して測定される周囲の状況に応じて、環境光１６０を与えるようにする。例えばＴＶ１１０のリモートコントロールを介するユーザインターフェイス２２０（図２）は、切替え可能なキャンバス１３０が別個に制御可能なパネルを有する場合には環境光を与えるよう切替え可能なキャンバス１３０のパネル、又はＯＮ／ＯＦＦ部の選択又は切替えを含む、多種のモードをユーザが選択し得るよう与えられ得る。例えば、ユーザは、下方のパネルを透過モードに切り替えるか無効にする（ｄｉｓａｂｌｅ）よう選択し得、環境光が切替え可能なキャンバス１３０の下方部分から与えられないようにする。ユーザインターフェイス２２０は、例えば、ＴＶがＯＮにされる際に環境光１６０を与えるよう切替え可能なキャンバス１３０を散乱モードに切り替え得、ＴＶがＯＦＦにされる際にキャンバス１３０を透過モードに切り替え得る、デフォルトモードを変更するよう使用され得る。
【００３５】
ユーザはまた、例えば環境光を表示されたコンテンツ又は室内の照明条件に応じて追随させる環境光のモードを制御し得るか、あるいは所望される色又は色の組合せを与えるよう手動モードを有し得る。当然のことながら、アクションモード、ロマンチックモード（ｒｏｍａｎｔｉｃ  ｍｏｄｅ）等である所定の環境モードは有され得、環境光は、所定の色の組合せ、強度、色相、及び／又は彩度であり得、所望のシーケンス、所定のシーケンス、及び／又は、ユーザ制御可能又はユーザプログラム可能なシーケンスにおいて与えられる。前出の国際公開番号ＷＯ２００５／０６２６０８  Ａ２（整理番号ＮＬ０３１５０４）において記載される通り、１つのモードは、ディスコモード又はアクションモードであり得、光源１５０は、キセノンタイプ又はストロボタイプの光源等である放電管を有し得、爆発や雷等である特殊効果に対する明るい光のフラッシュを与える。かかる場合において、プロセッサ１７０は、コンテンツの音声信号に応じて光源１５０を制御するよう構成され、音声センサは、音声コンテンツをモニタ、検出、及び／又は分析するよう使用され得る。音声コンテンツ又は信号は、プロセッサによって、あるいは他の適切なセンサによって、直接モニタされ得る。
【００３６】
切替え可能なキャンバス１３０は、プロセッサ１７０又は更なるプロセッサを有する単独ユニットの一部であり得る。光源１５０又は更なる光源はまた、切替え可能なキャンバス１３０の一部であり得る。当然のことながら、光源１５０は、例えばパッシブディフューザシステムに対して、表示されるビデオのコンテンツを追随するよう構成され得ず、その場合、光源１５０は、単一の色、色の組合せ及び／又はシーケンスをプロセッサ１７０の制御下において与える。このことは、前出の国際公開ＷＯ２００６／００３６０３  Ａ２及びＷＯ２００６／００３６０４Ａ２において記載される通りである。かかる文献はまた、多種のアクティブ及びパッシブディフューザシステムを説明する。該システムにおいて、表示されるコンテンツ又は光源からの光出力は、例えばセンサ、電磁カプラ、モジュレータ、及び光源の多種の組合せを使用することによって、表示されるコンテンツを追随するかあるいは該コンテンツに関連する環境光与えるよう、多種の方途において修正又は制御される。例えば上述された通り、プロセッサ１７０は、雰囲気（ロマンチック等）又はコンテンツの種類（アクション、コメディ等）に対する設定等であるユーザによって選択可能な定義された設定を有して事前にプログラムされ得るか、あるいは、ＴＶ又はＬＣＤパネル１１０に与えられるリモートコントロール、キーボード、マウス、又はボタン等であるインターフェイス装置を介して光源１５０から所望される環境光（色、色相、彩度、強度等）を与えるようユーザによってプログラムされ得る。
【００３７】
プロセッサ１７０は、切替え可能なキャンバス１３０に対して専用であり得るか、あるいはテレビジョン受像機、モニタ又はＬＣＤパネル１１０の一部であり得る。プロセッサ１７０は、マイクロプロセッサ、中央処理ユニット（ＣＰＵ）、デジタル信号プロセッサ（ＤＳＰ）、ＡＳＩＣ、あるいは、デジタル光学装置又は同一の機能を実行するアナログ電子回路等であるプロセッサ又はコントローラを有し得、電子技術及び構造を用いる。プロセッサ１７０は、典型的にはソフトウェア制御下等にあり得、ソフトウェア及びユーザの嗜好等である他のデータを格納するメモリを有するか、該メモリと通信する。プロセッサ１７０は、環境光１６０をＬＣＤ１１０上に表示されるビデオ情報に関連付けるよう構成され得る。
【００３８】
プロセッサ１７０はまた、光源１５０を直接的にあるいは間接的に制御することができるインテリジェンス装置を有し得、そこから作られる出力光の特徴は、例えば色、色相、彩度、強度、又は正反射特性、逆反射特性等である他のフォトメトリック質（ｐｈｏｔｏｍｅｔｒｉｃ  ｑｕａｌｉｔｙ）を変えることによって、変わる。これには、複数の光生成装置に対するオン／オフ負荷サイクルを制御すること、モジュレータを制御すること、エレクトロルミネセンス装置の発光出力を変えること、切替え可能なキャンバス１３０の後方面及び／又は前方面に位置決めされ得るゴニオフォトメトリック要素の有効性を調整すること、又は、コンテンツ情報信号（ＲＦ、ビデオ、音声等）、又は、ＴＶ、モニタ、又はＬＣＤパネル１１０上に表示される画像に応じて直接的又は間接的に環境光を変える他の修正、が含まれ得る。
【００３９】
図２は、本発明の一実施例に従ったテレビジョン受像機等である装置２００を示す。装置は、メモリ２１０に対して光学的に結合されるプロセッサ１７０、１つ又はそれより多い光エンジン又は光源１５０、及びディスプレイ装置２００の操作に対するユーザ入力装置２２０を有する。メモリ２１０は、アプリケーションデータ、及び、環境光スクリプト等である環境光データ及び音声／ビジュアルデータ等である他のデータを格納する、いかなる種類の装置でもあり得る。アプリケーションデータ及び他のデータは、本発明のシステム及び方法に従って作動動作を行なうためにプロセッサ１７０を構成するよう、プロセッサ１７０によって受け取られる。作動動作は、コンテンツを表示するよう装置２００を制御すること、画像コンテンツに関連付けられ得る、並びに／あるいは関連付けられ得ない、本発明のシステムに従った環境画像部分（ａｍｂｉｅｎｔ  ｉｍａｇｅ  ｐｏｒｔｉｏｎｓ）を表示するよう光エンジン１５０を制御すること、を有する。ユーザ入力装置２２０は、キーボード、マウス、リモートコントロール、及び／又はタッチディスプレイを含む他の装置を有し得る。ユーザ入力装置２２０は、単独であり得るか、あるいはパーソナルコンピュータ、個人用携帯端末、テレビジョン受像機、ホワイトボード等であるディスプレイ装置等のシステムの一部であり得、有線又は無線のリンク等である種類のリンクを介してプロセッサ１７０と連絡するよう作動し得る。
【００４０】
本発明の方法は特には、コンピュータソフトウェアプログラムによって実行されるよう、適切である。かかるコンピュータソフトウェアプログラムは、望ましくは、個別及び／又は複合の段階又は動作に対応するモジュールを有する。かかるソフトウェアは当然のことながら、例えば、集積チップ、周辺装置、又は例えばプロセッサ１７０に対して結合されるメモリ２１０又は他のメモリ等であるメモリである、コンピュータ可読媒体において実施され得る。
【００４１】
メモリ２１０はまた、音声／ビジュアルコンテンツ等であるレンダリングされたコンテンツ、又はレンダリングされた独立したコンテンツと同調する環境画像部分を作るよう、環境効果スクリプトを格納し得る。メモリ２１０は、プロセッサ１７０を本願に開示される方法、作動動作、及び機能を実行するよう構成する。メモリは、分散されるかあるいは局所的であり得、追加的なプロセッサが与えられ得るプロセッサ１７０はまた、例えば光エンジン１５０内に置かれて分散され得るか、あるいは単一であり得る。
【００４２】
更には、光源１５０の制御は特に、コンピュータソフトウェアプログラムによって実行されるよう適切である。かかるソフトウェアは当然のことながら、例えば、集積チップ、周辺装置、又は例えばプロセッサ１７０に対して結合されるメモリ２１０等であるコンピュータ可読媒体において実施され得る。プロセッサ１７０は、制御信号を与えること、及び／又はＩ／Ｏ装置２２０からの入力信号に応じて操作を行なうことでき、メモリ２１０において格納される命令を実行することができる。プロセッサ１７０は、アプリケーション固有であり得るか、あるいは汎用集積回路であり得る。更には、プロセッサ１７０は、本システムに従って実行するよう専用のプロセッサであり得るか、あるいは、多くの機能のうち１つのみが本システムに従って実行するよう作動する汎用プロセッサであり得る。プロセッサ１７０は、プログラム部分、複数のプログラムセグメントを利用して作動し得るか、あるいは、専用又は多目的集積回路を利用するハードウェア装置であり得る。
【００４３】
環境光を与える上述されたシステムの各々は、更なるシステムと合わせて利用されてもよい。故に、上述された実施例又は工程のうちいずれか１つは、本発明に従って更なる改善を与えるよう、１つ又はそれより多い他の実施例又は工程と組み合わされ得る、よう理解されるべきである。
【００４４】
例証として、透明（又は半透明）である切替え可能なキャンバス１３０の１つの利点は、ＴＶがオフにされる際、プレートが透明（又は半透明）であり、故にその後方のビューを妨害しない、ことである。更には、ＴＶは、より小さくあるいはさほど大きくなく見え、また、キャンバス１３０が透明ではない場合より目立たなくなる。当然のことながら、所望によって、プレートは、不透明であり得、キャンバスとして作用する後方壁の代わりに環境光に対するキャンバスの役割を有し得る。切替え可能なキャンバス１３０が透明であるか否かに関わらず、切替え可能なキャンバス１３０は、観察者に向かって環境光１６０を反射する中断及び／又は気泡を有し得る。故に、例えば適切な壁の色、後方壁に対するＴＶの距離、及び向きに対する必要性等である後方壁に対する必要性及び関連付けられる不利点を排除する、キャンバスとしての役割を有し得る。このことは、前出の米国仮特許出願番号第６０／７１３，１８４（整理番号ＵＳ００２３０８）において記載される。
【００４５】
当然のことながら、切替え可能なキャンバス１３０は、観察者に向かってより優れた環境光分散を与える形状を含む、いかなる形状及び／又は寸法も有し得る。例えば、切替え可能なキャンバス１３０は、ＴＶのフレームを覆うよう制限され得、ＴＶのフレームを切替え可能にする。即ち、透過状態において、例えばＴＶがＯＦＦ状態に有る際にはＴＶのフレームは可視であり、また、散乱状態において、例えばＴＶがＯＮ状態にある際にはフレームは、環境光１６０を散乱させて与えるキャンバス１３０に覆われるか、あるいはその後方に隠される。ユーザインターフェイス２２０は、ＴＶの状態に関係なく、光源１５０及び／又は切替え可能なキャンバス１３０のＯＮ／ＯＦＦを切り替えるよう構成され得る。故に、ＴＶがＯＮにされる際でも、ユーザは、例えば切替え可能なキャンバス１３０に対して適切な電圧を維持又は印加することによって、切替え可能なキャンバス１３０の透明性を維持することを選択し得る。反対に、ＴＶがＯＦＦである場合、ユーザは、光源１５０をオンにし、散乱状態（キャンバス１３０に対して印加される電圧が無い）にキャンバス１３０を切り替えるよう選択し得、故に背景環境光を与え得る。これは、ユーザによって制御可能であり得るか、あるいは、スクリプト又はロマンチック設定等である所定の設定によって制御され得る。
【００４６】
本願の観点において、他の修正は当業者には明らかである。例えば、少なくとも１つの光源及びコントローラを有する切替え可能なキャンバスはまた、ポスター、アート作品、及び／又は公共用／広告用情報ボードの周囲におけるフレームとして、所望される色を有するフレーム、色の変更を与えるよう使用され得るか、あるいは透明状態に切り替えられて、実質的には不可視になるようにされ得る。
【００４７】
最後に、上述された説明は、本発明を単に例証することを目的とするものであり、特定の実施例又は実施例の群に対して添付の請求項を制限するものとして解釈されるべきではない。故に、本発明は、その具体的な実施例を参照して特に詳述されてきた一方で、多数の修正及び代替的な実施例が添付の請求項において記載される本発明の意図される趣旨及び範囲から逸脱することなく行なわれ得る、ことが理解されるべきである。本明細書及び図面は、例証を目的とするものとして理解されるべきであり、添付の請求項の範囲を制限するよう意図されていない。
【００４８】
添付の請求項の解釈にあたり、以下の点：  
ａ）  「有する」という語は、所定の請求項中に列記される要素又は作用以外の要素及び作用の存在を除外するものではない；  
ｂ）  単数形で示される要素は、かかる要素の複数の存在を除外するものではない；  
ｃ）  請求項中の参照符号は、その範囲を制限するものではない；  
ｄ）  複数の「手段」は、同一のアイテム又はハードウェア又はソフトウェアが行う構造又は機能によって示され得る；  
ｅ）  開示される要素は、ハードウェア部分（例えば、別個及び一体の電子回路を有する）、ソフトウェア部分（例えば、コンピュータプログラム）、及びそれらの組合せを有し得る；  
ｆ）  ハードウェア部分は、アナログ部分及びデジタル部分の一方又は両方を有し得る；  
ｇ）  開示される装置又はその一部分は、特記されない限り、他の部分と合わせられ得るか、あるいは分けられ得る；並びに、  
ｈ）  特定の一連の作用又は段階は、特記されない限り求められるよう意図されない、  
ことが理解されるべきである。
【図面の簡単な説明】
【００４９】
【図１】本発明のシステムの一実施例に従ったディスプレイシステムの正面図である。
【図２】本発明のシステムの一実施例に従った、テレビ等である装置の概略図である。
【図１】
2009531733.tif 000003
【図２】
2009531733.tif 000004
【国際調査報告】
2009531733.tif 000005
2009531733.tif 000006
2009531733.tif 000007